(57)【要約】【課題】記録再生機器の買い替え時や買い増し時において、既存の記録再生機器に記録されたコンテンツ、および、機器の動作環境を規定するために設定されているパラメータに関するデータを、新しい記録再生機器に移行するための仕組みを提供する。【解決手段】本発明の機器は、コンテンツの記録および再生が可能であり、かつ、少なくとも１台の情報機器との間でデータの送受信を行うことが可能である。当該情報機器には、その動作環境を規定するための少なくとも１つのパラメータが設定されており、情報機器は、要求に応じてパラメータに関するデータを送信する機能を有している。本発明の機器は、情報機器との間でデータの送受信を行うネットワーク制御部と、初期設定に際し、情報機器に対して、情報機器に設定されている少なくとも１つのパラメータに関するデータの送信を要求するシステム制御部と、情報機器から送信され、ネットワーク制御部によって受信されたデータを格納する記録媒体とを備えている。【選択図】図２
2009033734.tif 000002
【特許請求の範囲】
【請求項１】
コンテンツの記録および再生が可能であり、かつ、少なくとも１台の情報機器との間でデータの送受信を行うことが可能な機器であって、
前記情報機器には、前記情報機器の動作環境を規定するための少なくとも１つのパラメータが設定されており、前記情報機器は、要求に応じて前記少なくとも１つのパラメータに関するデータを送信する機能を有しており、
前記情報機器との間でデータの送受信を行うネットワーク制御部と、
初期設定に際し、前記情報機器に対して、前記情報機器に設定されている前記少なくとも１つのパラメータに関するデータの送信を要求するシステム制御部と、
前記情報機器から送信され、前記ネットワーク制御部によって受信された前記データを格納する記録媒体と
を備えた機器。
【請求項２】
前記システム制御部は、前記情報機器に保持されているコンテンツの少なくとも一部のデータの送信をさらに要求する、請求項１に記載の機器。
【請求項３】
前記システム制御部は、前記データの受信完了に応答して、前記情報機器に対して前記データの消去を要求する、請求項１に記載の機器。
【請求項４】
前記少なくとも１つのパラメータに関するデータが書き込まれる第１記録媒体と、前記コンテンツの全てのデータが書き込まれる第２記録媒体とを備えた、請求項１に記載の機器。
【請求項５】
前記ネットワーク制御部は、ネットワークを介して、前記情報機器である第１情報機器、および、前記第１情報機器とは異なる第２情報機器との間でデータの送受信を独立して行うことが可能であり、
前記システム制御部は、前記第２情報機器からの要求を受け取り、前記要求にしたがって、前記記録媒体に格納された前記第１情報機器からのデータを、前記第２情報機器に送信するよう指示し、
前記ネットワーク制御部は、前記システム制御部の指示に基づいて、前記データを前記第２情報機器に送信する、請求項１に記載の機器。
【請求項６】
前記ネットワーク制御部は、前記第１情報機器が前記ネットワークに接続されているか否かにかかわらず、前記第２情報機器と通信することが可能である、請求項５に記載の機器。
【請求項７】
前記少なくとも１台の情報機器は複数存在しており、
前記ネットワーク制御部は、複数の情報機器の各々との間でデータの送受信を行うことが可能であり、
前記システム制御部は、前記複数の情報機器のうちから選択された少なくとも１つの情報機器に対して、前記データの送信を要求し、
前記記録媒体は、選択された前記少なくとも１つの情報機器から送信され、前記ネットワーク制御部によって受信された前記データを格納する、請求項１に記載の機器。
【請求項８】
コンテンツの記録および再生の少なくとも一方が可能な機器であって、
情報機器との間でデータの送受信を行うネットワーク制御部であって、前記情報機器には、前記情報機器の動作環境を規定するための複数のパラメータが設定されている、ネットワーク制御部と、
初期設定に際し、前記情報機器に対して、前記情報機器に設定されている前記複数のパラメータに関するデータの送信を要求するシステム制御部と、
前記情報機器から送信され、前記ネットワーク制御部によって受信された前記データを格納する記録媒体と、
表示装置に情報を表示するための信号を生成するグラフィック制御部と
を備え、前記グラフィック制御部が生成した信号に基づいて、前記表示装置には選択可能な少なくとも１つの項目が表示され、
前記システム制御部は、選択された前記少なくとも１つの項目に対応して予め定められたデータの送信を前記情報機器に対して要求する、機器。
【請求項９】
前記グラフィック制御部は、前記複数のパラメータの各々に対応する複数の項目を選択可能に表示し、
前記システム制御部は、選択された前記少なくとも１つの項目に対応するパラメータに関するデータの送信を要求する、請求項８に記載の機器。
【請求項１０】
前記システム制御部は、前記情報機器に保持されているコンテンツの少なくとも一部のデータの送信をさらに要求する、請求項９に記載の機器。
【請求項１１】
前記少なくとも１つの項目に対応して定められたパラメータは録画予約情報を含む、請求項１０に記載の機器。
【請求項１２】
前記コンテンツは第１の圧縮符号化方式によって圧縮符号化されており、
前記コンテンツの少なくとも一部のデータが受信されたとき、前記第１の圧縮符号化方式を、前記第１の圧縮符号化方式とは異なる第２の圧縮符号化方式に変更して前記記録媒体に格納するエンコーダをさらに備えた、請求項１０に記載の機器。
【請求項１３】
前記システム制御部は、前記情報機器が、前記パラメータに関するデータを送信することが可能か否かを判定する、請求項９に記載の機器。
【請求項１４】
前記システム制御部は、
前記情報機器に対して、前記情報機器を特定する機器情報の送信を要求し、
前記情報機器から送信され、前記ネットワーク制御部によって受信された前記機器情報に基づいて、前記情報機器が、前記パラメータに関するデータを送信することが可能か否かを判定する、請求項１３に記載の機器。
【請求項１５】
前記グラフィック制御部は、前記情報機器においてコンテンツを記録するために設定されているパラメータ、前記情報機器においてコンテンツの再生のために設定されているパラメータ、および、前記情報機器で予約録画を行うために必要なパラメータに関する情報を選択可能に表示する、請求項１３に記載の機器。
【請求項１６】
ユーザからの指示を受け取る指示受信部をさらに備え、
前記指示受信部は、選択可能に表示された情報に対する前記ユーザの選択指示を受け取り、
前記システム制御部は、前記情報機器に対して、前記選択指示に対応するデータの送信を要求する、請求項１３に記載の機器。
【請求項１７】
前記グラフィック制御部は、さらに、前記情報機器から送信されたデータを前記情報機器から消去するか否かを示す情報を選択可能に表示する、請求項１３に記載の機器。
【請求項１８】
ユーザからの指示を受け取る指示受信部をさらに備え、
前記指示受信部が前記データの消去指示を前記ユーザから受け取ると、前記システム制御部は、前記データの受信完了に応答して、前記情報機器に対して前記データの消去を要求する、請求項１７に記載の機器。
【請求項１９】
ユーザからの指示を受け取る指示受信部をさらに備え、
前記指示受信部は、選択可能に表示された情報に対する前記ユーザの選択指示を受け取り、
前記表示装置に表示された項目には、前記複数のパラメータが予め対応付けられており、
前記項目が選択されたとき、前記システム制御部は、前記項目に予め対応付けられた前記複数のパラメータに関するデータの送信を要求する、請求項８に記載の機器。
【発明の詳細な説明】
【技術分野】
【０００１】
本発明は、動作環境に関するパラメータに基づいて動作する機器に関する。より具体的には、本発明は、コンテンツの記録および再生の少なくとも一方が可能な機器に関する。
【背景技術】
【０００２】
現在、テレビ放送などのコンテンツをＤＶＤ、ハードディスク等の記録媒体に記録するレコーダが広く普及している。また、そのようなレコーダよりもさらに広く、ＤＶＤに記録されたコンテンツを再生するプレーヤが普及している。
【０００３】
これらの機器が市場に出回るようになってから１０年程度経過しており、また、近年はそのような機器が一家に数台存在することも珍しくない。そのため、今後は既存の機器を新しい機器に買い換えるユーザや、既存の機器に加えて２台目、３台目の機器を買い増すユーザが多くなると考えられる。
【０００４】
機器を新たに導入する際には、その機器に動作環境に関する情報（環境設定情報）を設定する必要が生じる。環境設定情報とは、たとえば、受信チャンネルの設定、ユーザカスタマイズパラメータ（録画画質（記録ビットレート）、音質、記録フォーマット、録画番組のリスト表示／サムネイル表示、スクリーンセーバーの使用／非使用など）の設定、ユーザプリファレンスパラメータ（視聴制限レベル、パスワードなど）の設定に関する情報である。
【０００５】
特許文献１は、記録再生装置における環境設定情報の設定方法を開示する。特許文献１の記録再生装置は、着脱可能な記録媒体に録画番組とともに環境設定情報を記録する。他の記録再生装置においてその記録媒体から録画番組を再生する際、当該他の記録再生装置はその環境設定情報を読み出して自らに設定する。これにより、ユーザは記録再生装置の使用の都度、記録再生装置の動作環境を設定しなおす必要はなくなり、かつ、その録画番組の再生に適した環境設定で当該他の記録再生装置を利用して録画番組を再生できる。
【特許文献１】特開２００４−１５２４５０号公報
【発明の開示】
【発明が解決しようとする課題】
【０００６】
上述の特許文献１の技術は、複数の記録再生装置の間で単に環境設定情報を共有するために適用されるものであり、記録再生装置の買い替えや買い増しに対応するには適切とはいえない。
【０００７】
たとえば記録再生装置の買い替え時には、ユーザは新しい記録再生装置に環境設定情報を設定するだけでなく、既存の記録再生装置に記録された番組のデータを新しい記録再生装置に移行したいと考えるはずである。しかしながら、特許文献１は記録された番組のデータを一括して新しい記録再生装置に移行することを想定していない。
【０００８】
番組データの移行に関しては、さらに以下の点に留意する必要がある。
【０００９】
通常の着脱可能な情報記録媒体（たとえばＤＶＤ）は、着脱不可能な情報記録媒体（ハードディスク）よりも記憶容量が２桁程度小さい。このため、ＤＶＤを介して既存の記録再生装置のハードディスクから新しい記録再生装置のハードディスクに大容量の番組データを移行することは現実的でない。
【００１０】
なお、記録再生装置を分解して、ハードディスクドライブを交換することは技術的に可能である。したがって、新しい記録再生装置のハードディスクドライブを既存の記録再生装置のハードディスクドライブに交換すれば、番組データをそのまま新しい記録再生装置に移行できる。しかしながら、記録再生装置を買い替えた後は、通常は、ハードディスクの記録可能容量が大きくなる。この点を考慮すると、ハードディスクドライブそのものを入れ替えることは、新しい記録再生装置を購入したユーザにとってメリットは薄い。
【００１１】
既存の記録再生装置に既に番組の予約録画が設定されている場合には、新しい記録再生装置にその予約情報を移行することが望まれる。しかしながら、特許文献１には番組の予約録画の情報を移行することについて言及はない。
【００１２】
さらに、これまで使用していた既存の記録再生装置を他人に譲る場合には、既存の記録再生装置に設定されている環境設定情報や録画番組のデータはそのユーザの個人的な情報であるといえるため、既存の記録再生装置内に残しておくべきではない。しかしながら特許文献１には、そのような情報をどのように取り扱うかについて言及はない。
【００１３】
なお、記録再生装置の買い増しの場合も、買い替えの場合と事情は同じである。多くの場合は、最新の記録再生装置を主として利用し、これまで使用していた既存の記録再生装置は補助的に利用されると考えられる。そうすると、既存の記録再生装置から最新の記録再生装置へのコンテンツおよびパラメータの各データを移行する必要が生じるためである。
【００１４】
本発明の目的は、記録再生機器の買い替え時や買い増し時において、既存の記録再生機器に記録されたコンテンツ、および、機器の動作環境を規定するために設定されているパラメータに関するデータを、新しい記録再生機器に移行するための仕組みを提供することにある。
【課題を解決するための手段】
【００１５】
本発明による機器は、コンテンツの記録および再生が可能であり、かつ、少なくとも１台の情報機器との間でデータの送受信を行うことが可能な機器であって、前記情報機器には、前記情報機器の動作環境を規定するための少なくとも１つのパラメータが設定されており、前記情報機器は、要求に応じて前記少なくとも１つのパラメータに関するデータを送信する機能を有しており、前記情報機器との間でデータの送受信を行うネットワーク制御部と、初期設定に際し、前記情報機器に対して、前記情報機器に設定されている前記少なくとも１つのパラメータに関するデータの送信を要求するシステム制御部と、前記情報機器から送信され、前記ネットワーク制御部によって受信された前記データを格納する記録媒体とを備えている。
【００１６】
前記システム制御部は、前記情報機器に保持されているコンテンツの少なくとも一部のデータの送信をさらに要求してもよい。
【００１７】
前記システム制御部は、前記データの受信完了に応答して、前記情報機器に対して前記データの消去を要求してもよい。
【００１８】
前記情報機器は、前記少なくとも１つのパラメータに関するデータが書き込まれる第１記録媒体と、前記コンテンツの全てのデータが書き込まれる第２記録媒体とを備えていてもよい。
【００１９】
前記ネットワーク制御部は、ネットワークを介して、前記情報機器である第１情報機器、および、前記第１情報機器とは異なる第２情報機器との間でデータの送受信を独立して行うことが可能であり、前記システム制御部は、前記第２情報機器からの要求を受け取り、前記要求にしたがって、前記記録媒体に格納された前記第１情報機器からのデータを、前記第２情報機器に送信するよう指示し、前記ネットワーク制御部は、前記システム制御部の指示に基づいて、前記データを前記第２情報機器に送信してもよい。
【００２０】
前記ネットワーク制御部は、前記第１情報機器が前記ネットワークに接続されているか否かにかかわらず、前記第２情報機器と通信することが可能であってもよい。
【００２１】
前記少なくとも１台の情報機器は複数存在しており、前記ネットワーク制御部は、複数の情報機器の各々との間でデータの送受信を行うことが可能であり、前記システム制御部は、前記複数の情報機器のうちから選択された少なくとも１つの情報機器に対して、前記データの送信を要求し、前記記録媒体は、選択された前記少なくとも１つの情報機器から送信され、前記ネットワーク制御部によって受信された前記データを格納してもよい。
【００２２】
本発明による機器は、コンテンツの記録および再生の少なくとも一方が可能な機器であって、情報機器との間でデータの送受信を行うネットワーク制御部であって、前記情報機器には、前記情報機器の動作環境を規定するための複数のパラメータが設定されている、ネットワーク制御部と、初期設定に際し、前記情報機器に対して、前記情報機器に設定されている前記複数のパラメータに関するデータの送信を要求するシステム制御部と、前記情報機器から送信され、前記ネットワーク制御部によって受信された前記データを格納する記録媒体と、表示装置に情報を表示するための信号を生成するグラフィック制御部とを備え、前記グラフィック制御部が生成した信号に基づいて、前記表示装置には選択可能な少なくとも１つの項目が表示され、前記システム制御部は、選択された前記少なくとも１つの項目に対応して予め定められたデータの送信を前記情報機器に対して要求する。
【００２３】
前記グラフィック制御部は、前記複数のパラメータの各々に対応する複数の項目を選択可能に表示し、前記システム制御部は、選択された前記少なくとも１つの項目に対応するパラメータに関するデータの送信を要求してもよい。
【００２４】
前記システム制御部は、前記情報機器に保持されているコンテンツの少なくとも一部のデータの送信をさらに要求してもよい。
【００２５】
前記少なくとも１つの項目に対応して定められたパラメータは録画予約情報を含んでもよい。
【００２６】
前記コンテンツは第１の圧縮符号化方式によって圧縮符号化されており、前記機器は、前記コンテンツの少なくとも一部のデータが受信されたとき、前記第１の圧縮符号化方式を、前記第１の圧縮符号化方式とは異なる第２の圧縮符号化方式に変更して前記記録媒体に格納するエンコーダをさらに備えていてもよい。
【００２７】
前記システム制御部は、前記情報機器が、前記パラメータに関するデータを送信することが可能か否かを判定してもよい。
【００２８】
前記システム制御部は、前記情報機器に対して、前記情報機器を特定する機器情報の送信を要求し、前記情報機器から送信され、前記ネットワーク制御部によって受信された前記機器情報に基づいて、前記情報機器が、前記パラメータに関するデータを送信することが可能か否かを判定してもよい。
【００２９】
前記グラフィック制御部は、前記情報機器においてコンテンツを記録するために設定されているパラメータ、前記情報機器においてコンテンツの再生のために設定されているパラメータ、および、前記情報機器で予約録画を行うために必要なパラメータに関する情報を選択可能に表示してもよい。
【００３０】
本発明による機器は、ユーザからの指示を受け取る指示受信部をさらに備え、前記指示受信部は、選択可能に表示された情報に対する前記ユーザの選択指示を受け取り、前記システム制御部は、前記情報機器に対して、前記選択指示に対応するデータの送信を要求してもよい。
【００３１】
前記グラフィック制御部は、さらに、前記情報機器から送信されたデータを前記情報機器から消去するか否かを示す情報を選択可能に表示してもよい。
【００３２】
本発明による機器は、ユーザからの指示を受け取る指示受信部をさらに備え、前記指示受信部が前記データの消去指示を前記ユーザから受け取ると、前記システム制御部は、前記データの受信完了に応答して、前記情報機器に対して前記データの消去を要求してもよい。
【００３３】
本発明による機器は、ユーザからの指示を受け取る指示受信部をさらに備え、前記指示受信部は、選択可能に表示された情報に対する前記ユーザの選択指示を受け取り、前記表示装置に表示された項目には、前記複数のパラメータが予め対応付けられており、前記項目が選択されたとき、前記システム制御部は、前記項目に予め対応付けられた前記複数のパラメータに関するデータの送信を要求してもよい。
【発明の効果】
【００３４】
本発明の装置は、他の情報機器に対し、ユーザの選択にしたがって、当該他の情報機器の動作環境を規定するために設定されている少なくとも１つのパラメータに関するデータの送信を要求する。その結果受信したデータは本発明の装置の記録媒体に格納される。本発明の装置は、記録媒体に格納されたデータにしたがって動作するため、当該他の情報機器と同じ動作環境を設定できる。また、当該他の情報機器に保持されているコンテンツの少なくとも一部のデータが当該他の情報機器から送信されると、ユーザは使用する機器を、旧機種から新機種に容易に切り替えることができる。
【発明を実施するための最良の形態】
【００３５】
（実施形態１）
以下、添付の図面を参照して、本発明による情報機器の実施形態を説明する。情報機器の実施形態として、以下では、ハードディスクドライブ（ＨＤＤ）内蔵光ディスクレコーダを挙げて説明する。ＨＤＤ内蔵光ディスクレコーダは、放送番組を光ディスクやハードディスクに記録し、記録された放送番組を再生可能な機器である。
【００３６】
図１は、本実施形態によるＨＤＤ内蔵光ディスクレコーダ２０を含む、機器群の接続構成を示す。ＨＤＤ内蔵光ディスクレコーダ２０は新規に購入されてＴＶ４０に接続されるとともに、家庭内ＬＡＮ１０に接続されて、これまで使用されてきたＨＤＤ内蔵光ディスクレコーダ３０と通信可能な状態にあるとする。
【００３７】
以下では、ＨＤＤ内蔵光ディスクレコーダ２０を「新レコーダ２０」（new recorder またはnew model recorder）と記述し、既存のＨＤＤ内蔵光ディスクレコーダ３０を「旧レコーダ３０」（old recorder またはold model recorder）と記述する。なお、「新」および「旧」という表記は使用開始の時期に関して相対的に新しいこと、および古いことを意味する。
【００３８】
図１に示す接続構成は、新レコーダ２０が旧レコーダ３０との間で、以下に説明する設定移行機能を実行するために必要な構成である。当該機能の実行後は、新レコーダ２０は旧レコーダ３０とＬＡＮ１０を介して接続されなくてもよい。また、当該機能の実行後は、旧レコーダ３０は、新レコーダ２０が設置された部屋と異なる部屋に設置されて、ユーザまたはその家族によって補助的に使用されてもよいし、他人に譲渡されてもよいし、もはや使用されないとしてもよい。以下の説明では、旧レコーダ３０は他人に譲渡されるとして説明する。
【００３９】
次に、新レコーダ２０および旧レコーダ３０のハードウェア構成を説明する。ハードウェア構成に関しては、新レコーダ２０および旧レコーダ３０は基本的には同じである。よって以下では新レコーダ２０についてのみ説明する。旧レコーダ３０と新レコーダ２０との相違点は、録画された番組がハードディスクに蓄積されているか否か、および、旧レコーダ３０の動作環境を規定するパラメータがユーザによって設定されているか否かという点である。
【００４０】
なお、旧レコーダ３０は、家庭内ＬＡＮ１０などのネットワークに接続された機器（たとえば新レコーダ２０）からの要求を受け取ると、その要求に応じたデータを送信する機能を有している。この「データ」は、後述のように、動作環境を規定するために設定されている少なくとも１つのパラメータに関するデータであってもよいし、録画されて保持されている放送番組の全部または一部のデータであってもよい。または、予約録画のために必要な情報であってもよい。
【００４１】
図２は、本実施形態による新レコーダ２０のハードウェア構成を示す。
【００４２】
新レコーダ２０は、その主要な機能として、コンテンツ（放送番組）を録画する機能（録画機能）、および、録画された番組を再生する機能（再生機能）を有している。
【００４３】
さらに新レコーダ２０は、本発明の特徴の一つである設定移行機能を有している。設定移行機能は、動作環境の移行機能と録画された番組の移行機能とを含む。
【００４４】
動作環境の移行機能とは、新レコーダ２０が、旧レコーダ３０から、旧レコーダ３０の動作環境を規定するために設定されている少なくとも１つのパラメータに関するデータを受け取って、自らの動作環境パラメータとして設定する機能である。
【００４５】
また録画された番組の移行機能とは、新レコーダ２０が、旧レコーダ３０から、旧レコーダ３０に録画されて保持されている放送番組の全てのデータまたは一部のデータを受け取って、内蔵されたハードディスクにその放送番組を蓄積する機能である。動作環境の移行機能と録画された番組の移行機能は、両方実行されてもよいし、いずれか一方が実行されてもよい。これらはユーザが任意に選択可能である。
【００４６】
旧レコーダ３０において、パラメータは固有に設定されており、番組は個々の記録媒体（たとえばハードディスク）に録画されている。よって、旧レコーダ３０から新レコーダ２０への移行を行わない限り、パラメータを新レコーダ２０に設定し、録画番組を新レコーダ２０に保存することはできない。
【００４７】
以下、図２を参照しながら、主として録画機能および再生機能に関連付けて新レコーダ２０のハードウェア構成を説明する。その後、図３および４を参照しながら、設定移行機能に関連する新レコーダ２０のハードウェアの構成および処理を説明する。
【００４８】
新レコーダ２０は、チューナ２０１と、ＡＤコンバータ２０２と、ＭＰＥＧ−２エンコーダ２０３と、ドライブ制御部２０４と、ＭＰＥＧ−２デコーダ２０６と、グラフィック制御部２０７と、メモリ２０８と、ＤＡコンバータ２０９と、ＣＰＵバス２１３と、ネットワーク制御部２１４と、指示受信部２１５と、システム制御部３００とを含む。
【００４９】
録画時において、新レコーダ２０は、放送局から送信されるコンテンツ（放送番組）の信号を受信して、その信号に基づいて生成したデータストリームを光ディスク２０５ａまたはハードディスク２０５ｂに記録する。受信する番組の信号はアナログ放送番組の信号であってもよいし、デジタル放送番組の信号であってもよい。図２には、アナログ放送番組をデジタル化して圧縮符号化し、光ディスク２０５ａまたはハードディスク２０５ｂに記録する構成を示している。
【００５０】
また再生時において、新レコーダ２０は、録画された放送番組のデータを光ディスク２０５ａまたはハードディスク２０５ｂから読み出して復号化し、ＴＶ４０に出力する。
【００５１】
放送番組を光ディスク２０５ａに記録するか、ハードディスクに記録するかはユーザの指定に応じて決定される。また、光ディスク２０５ａに記録された放送番組を再生するか、ハードディスクに記録された放送番組を再生するかも、ユーザの指定に応じて決定される。
【００５２】
光ディスク２０５ａは、たとえばＣＤ，ＤＶＤまたはＢＤである。以下ではＤＶＤであるとして説明する。なお、図２には、光ディスク２０５ａが新レコーダ２０内に記載されているが、光ディスク２０５ａは新レコーダ２０から取り外し可能であり、新レコーダ２０自体の構成要素ではないことに留意されたい。
【００５３】
システム制御部３００は、新レコーダ２０の動作の全体の処理を制御する。システム制御部３００は、ＲＯＭ２１０と、ＣＰＵ２１１と、ＲＡＭ２１２とを有している。それぞれはＣＰＵバス２１３に接続されている。
【００５４】
ＲＯＭ２１０は、たとえば電気的に書き換え可能なＥＥＰＲＯＭである。ＲＯＭ２１０には新レコーダ２０を動作させるためのコンピュータプログラム２１０ａが格納されている。
【００５５】
また、ＲＯＭ２１０には、新レコーダ２０の動作環境を規定するパラメータ２１０ｂが格納されている。新レコーダ２０が購入された直後においては、このパラメータはメーカー出荷時のデフォルト設定パラメータであるが、後にユーザが設定を変更し、または外部から読み込まれた場合には、変更後のパラメータに更新される。
【００５６】
ＲＯＭ２１０は通常、交換不可能な不揮発性メモリであるため、レコーダの電源オフ後や光ディスク２０５ａの交換後であってもパラメータを読み出すことができる。一旦レコーダの電源を切断した後に再度電源を投入した場合にも内容を保持しており、再度読み出すことが可能である。また、ＲＯＭ２１０はレコーダ内に内蔵されているため、交換可能な媒体にパラメータを記録する場合とは違って、あらゆる使用状況下でパラメータを読み出すことが可能である。
【００５７】
ＣＰＵ２１１はユーザの操作に基づいて、録画指示および再生指示を出力する。より詳しくは、ＣＰＵ２１１は、コンピュータプログラム２１０ａを実行することにより、ユーザの操作等に応じてコンピュータプログラム２１０ａに規定される処理を実現するための指示（制御信号）を生成し、ＣＰＵバス２１３を介して各構成要素に出力する。他の構成要素はその指示に基づいて録画処理や再生処理に関連する個々の機能を実行する。
【００５８】
ＲＡＭ２１２は、ＣＰＵ２１１がプログラムを実行するために必要なワーク領域を有する。例えば、ＣＰＵ２１１は、ＣＰＵバス２１３を使用してＲＯＭ２１０のコンピュータプログラム２１０ａをＲＡＭ２１２に読み出し、ＲＡＭ２１２のワーク領域に展開する。
【００５９】
チューナ２０１は、放送局から送信されたアナログ放送電波を選局して受信し、番組の映像および音声信号をＡＤコンバータ２０２に出力する。ＡＤコンバータ２０２は入力された信号をデジタル変換してＭＰＥＧ−２エンコーダ２０３に供給する。ＭＰＥＧ−２エンコーダ２０３（以下「エンコーダ２０３」と記述する）は、録画の開始指示を受け取ると、供給されたデジタルデータをＭＰＥＧ−２形式に圧縮符号化して、ＤＶＤビデオレコーディング規格に準拠したＭＰＥＧ−２プログラムストリーム（以下「プログラムストリーム」と称する）を生成し、ドライブ制御部２０４に入力する。この処理は、エンコーダ２０３が録画の終了指示を受け取るまで継続される。エンコーダ２０３は圧縮符号化を行うために、フレームデータ等を一時的に保持するバッファ（図示せず）等を有する。
【００６０】
ドライブ制御部２０４は、光ヘッド（図示せず）を利用して光ディスク２０５ａへのデータの書き込み処理、および光ディスク２０５ａからのデータの読み出し処理を制御する。またドライブ制御部２０４は、磁気ヘッド（図示せず）を利用してハードディスク２０５ｂへのデータの書き込み処理、およびハードディスク２０５ｂからのデータの読み出し処理を制御する。
【００６１】
ドライブ制御部２０４は録画の開始指示を受けて録画開始処理を行い、その後プログラムストリームを受け取って光ディスク２０５ａまたはハードディスク２０５ｂへの書き込みを開始する。またドライブ制御部２０４は、録画の終了指示を受けた後、プログラムストリームの入力がなくなると書き込み処理を終了し、録画終了処理を行う。なお、ドライブ制御部２０４は光ディスク２０５ａおよびハードディスク２０５ｂの両方に対する情報の授受を制御するとして説明しているが、光ディスク２０５ａのドライブ装置およびハードディスク２０５ｂのドライブ装置の各々に設けられてもよい。
【００６２】
一方、録画した番組の再生時には、ドライブ制御部２０４は光ディスク２０５ａまたはハードディスク２０５ｂを再生可能な状態にしてデータを読み出す。ドライブ制御部２０４は、読み出したデータをＭＰＥＧ−２デコーダ２０６に出力する。ＭＰＥＧ−２デコーダ２０６（以下「デコーダ２０６」と記述する）は、供給されたＭＰＥＧ−２圧縮符号化データを伸長して非圧縮データに変換し、グラフィック制御部２０７に供給する。グラフィック制御部２０７には内部演算用のメモリ２０８が接続されており、オン・スクリーン・ディスプレイ（On Screen Display；ＯＳＤ）機能を実現できる。例えば、グラフィック制御部２０７は種々のメニュー画像を映像と合成してＤＡコンバータ２０９に出力する。ＤＡコンバータ２０９は、入力されたＯＳＤ合成画像および音声データをアナログ変換して出力する。
【００６３】
ＣＰＵバス２１３は新レコーダ２０内の信号を伝送する経路であり、チューナ２０１、ＡＤコンバータ２０２、エンコーダ２０３、ドライブ制御部２０４、デコーダ２０６、グラフィック制御部２０７、ＤＡコンバータ２０９、システム制御部３００が接続されている。
【００６４】
ネットワーク制御部２１４は、新レコーダ２０を家庭内ＬＡＮ１０（以下、「ＬＡＮ１０」と記述する。）に接続するためのインタフェース機能を有しており、ＬＡＮ１０を介してデータを授受する。このデータは、たとえば後述の設定移行機能に関連する旧レコーダ３０に設定されているパラメータに関するデータ、および、旧レコーダ３０に保持されている録画された番組のデータの少なくとも一つである。
【００６５】
本実施形態においては、ネットワーク制御部２１４はＥｔｈｅｒｎｅｔ（登録商標）規格の接続端子であるとしているが、これは例である。新レコーダ２０と旧レコーダ３０との間でデータの授受が可能である限り、他のインタフェース（たとえばＩＥＥＥ１３９４規格インタフェース）であってもよい。
【００６６】
指示受信部２１５は新レコーダ２０の選局や録画、再生等の操作を行うためのスイッチである。指示受信部２１５はさらに、ユーザから検索データを受け取るキーボード、検索データを選択するマウス等の入力機器を含んでもよいし、リモコン（図示せず）からの赤外線を受信する受信部であってもよい。
【００６７】
ネットワーク制御部２１４は、ＣＰＵバス２１３を介してシステム制御部３００のＣＰＵ２１１（後述）に接続され、指示受信部２１５はそのＣＰＵ２１１に直接接続されている。指示受信部２１５を操作して生成された信号はＣＰＵ２１１に供給されている。
【００６８】
指示受信部２１５はＣＰＵ２１１に接続されており、ユーザから新レコーダ２０に対して直接に選局、録画、再生、時計あわせ、予約登録等に関する指示を受け取る。
【００６９】
次に、新レコーダ２０の設定移行機能に関連する処理を説明する。
【００７０】
図３（ａ）〜（ｄ）は、設定移行機能に関連するＴＶ画面４１の表示例を示す。各表示例に対応する描画データは、システム制御部３００のＣＰＵ２１１からの指示に基づいてグラフィック制御部２０７によって生成される。
【００７１】
図３（ａ）は、初期設定画面を示す。この画面は、初期設定時（たとえば新レコーダ２０に初めて電源が投入されたとき、または、ユーザが初期設定画面の表示操作を行ったとき）に表示される。画面には、チャンネル設定、録画設定などの複数の項目が選択可能な状態で表示されている。
【００７２】
本画面例の特徴は、「旧レコーダの内容を引き継ぐ」という項目１が存在する点にある。項目１が選択されると、新レコーダ２０は、旧レコーダ３０からの設定の移行が指示されたとして、設定移行機能（動作環境の移行機能および録画された番組の移行機能の少なくとも一方）を実行するための処理を行う。
【００７３】
図３（ｂ）は、設定移行機能実行時の画面を示す。グラフィック制御部２０７は画面４１上に、旧レコーダ３０に設定されている少なくとも１つのパラメータ、および、旧レコーダ３０に保持されている録画された番組に関する情報を選択可能に表示する。
【００７４】
図３（ｂ）では、旧レコーダ３０に設定されているパラメータに関する情報として「チャンネル設定」、「録画設定」、「再生設定」、「録画予約」などの項目が表示されている。また、録画された番組に関する情報として「録画済コンテンツ」の項目が表示されている。
【００７５】
図３（ｂ）の各項目の意味内容を説明すると以下のとおりである。
【００７６】
「チャンネル設定」には、チャンネルチューニング、番号表示、ライン入力表示名などを特定するパラメータが規定される。このパラメータは番組を視聴し、録画するために必要とされる。
【００７７】
また、「録画設定」には、録画ビットレート、録画フォーマット、音声フォーマットなどの、ユーザが録画ボタン（図示せず）を押下したときに適用されるパラメータが規定される。これらのパラメータは、ユーザが自分の好みで設定したパラメータである。
【００７８】
「再生設定」には、視聴制限の有無、視聴制限を解除するためのパスワード、ＤＶＤ再生時のパレンタルロックの有無、音声言語、字幕言語、色温度、輝度、コントラストなどのパラメータが含まれる。
【００７９】
さらに「録画予約」には、録画チャンネル番号、録画日（特定の１日／毎日／毎週など）、録画開始／終了時刻、録画ビットレート、録画フォーマット、音声フォーマットなどの、予約録画を行うために必要なパラメータが規定される。録画予約情報も旧レコーダ３０から新レコーダ２０に移行可能であるため、ユーザは新レコーダ２０に再度録画予約操作をする必要がなくなる。
【００８０】
「録画済コンテンツ」は、旧レコーダ３０に存在する全ての、または一部の録画済みの番組である。
【００８１】
表示された各項目２とともに、図３（ｂ）にはチェックボックス３が表示されている。チェックボックス３をオンにすれば、その項目に対応する情報が旧レコーダ３０から新レコーダ２０に移行される。一方、チェックボックス３をオフにすれば、その項目に対応する情報が旧レコーダ３０から新レコーダ２０に移行されることはない。
【００８２】
図３（ｂ）では、すべてのチェックボックス３がオンにされているため、旧レコーダ３０の全パラメータのデータおよび旧レコーダ３０に保存されている全番組のデータが、新レコーダ２０に送られる。保存されている全番組のデータは、たとえばＭＰＥＧ規格に準拠した圧縮フォーマットで作成されている。この圧縮された状態で旧レコーダから新レコーダにＬＡＮ１０を介して転送することが可能である。
【００８３】
なお図３（ｂ）の項目およびその項目に対応するパラメータの種類は例であり、さらに他の項目を含めてもよい。たとえば「機器設定」の項目を設け、カウンタや時計が表示される表示管（図示せず）の輝度、出力画像のアスペクト比、ＨＤＭＩ出力の要否、スタンバイモードへの移行時間、ダビング時に優先する動作（静音優先／速度優先）に関するパラメータなどを規定してもよい。
【００８４】
図３（ｃ）は、旧レコーダ３０を初期化するか否かをユーザが指示するための画面表示例を示す。ユーザが旧レコーダ３０の初期化を希望する場合には“Ｙｅｓ”を選択し、希望しない場合には“Ｎｏ”を選択する。
【００８５】
ここで、「旧レコーダ３０を初期化する」とは、たとえば旧レコーダ３０の全てまたは一部の設定を消去することをいう。本実施形態においては、少なくとも旧レコーダ３０から新レコーダ２０に引き継ぎが行われたデータ（すなわち移行された動作環境のパラメータ、および、移行された録画済番組の各データ）を、消去することをいう。動作環境のパラメータが消去されると、ユーザによって設定された内容はクリアされ、旧レコーダ３０の工場出荷時のパラメータが設定される。
【００８６】
初期化処理を行うか否かをユーザに選択させる理由は、ユーザが今後旧レコーダ３０を使用するか否かによって、事情が異なるためである。旧レコーダ３０を他人に譲渡する場合や廃棄する場合などにおいて、旧レコーダ３０にそのユーザの個人情報ともいうべき設定内容や録画番組がそのまま残されていると、他人による悪用や個人情報の探知（獲得）などの不都合が生じ得るため、初期化処理を希望する場合が想定される。また、旧レコーダ３０が視聴用コンテンツを購入するためのクレジットカード情報を入力可能である場合には、そのようなクレジットカード情報を削除することは必須である。一方、ユーザが旧レコーダ３０の使用を継続する場合には、初期化処理を希望しない場合が想定される。
【００８７】
初期化処理をせずに、旧レコーダ３０を再度ＴＶ４０に再度接続し、旧レコーダ３０を起動してそのような情報をユーザが逐一削除することも可能であるが、そのような作業は非常に面倒であり、ユーザにとって非常に手間がかかる。本実施形態の新レコーダ２０によれば、そのような手間は不要であり、動作環境の移行とともに個人情報を削除できるため、非常に便利である。
【００８８】
図３（ｄ）は、旧レコーダ３０に設定されていた動作環境のパラメータおよび録画済コンテンツのデータを、新レコーダ２０に移行している処理中の画面表示例を示す。
【００８９】
設定移行機能の実行に必要なすべての入力が終了すると、新レコーダ２０のシステム制御部３００は、旧レコーダ３０に対して動作環境のパラメータおよび録画済コンテンツのデータの送信を要求する。その要求を受けて旧レコーダ３０は新レコーダ２０に、要求されたデータを転送する。
【００９０】
図３（ｄ）に示されるように、画面４１には処理終了までの予想時間とともに進捗状況を示すプログレス・バーが表示される。動作環境に関する数多くのパラメータのデータを旧レコーダ３０から新レコーダ２０に転送する必要があり、かつ、録画済の番組のデータは特にデータ量が多いため、転送には時間を要する。したがって、時間情報やプログレス・バーの表示はユーザが処理状況を確認できる手段として有用である。
【００９１】
本実施形態によれば、ユーザの選択により、動作環境のパラメータおよび録画済コンテンツを一括して旧レコーダ３０から新レコーダ２０に転送することができる。ユーザは図３（ａ）〜（ｃ）に示す選択操作を一度行うだけで、その後は自動的に一括して転送が行われるため、ユーザの作業量を少なくすることが可能である。たとえば、動作環境のパラメータおよび録画済コンテンツを個々に転送する方法も考えられるが、そのような方法によれば、あるデータの転送が終了するとユーザは次のデータの転送操作をしなければならないため、ユーザは全データの転送が完了するまで拘束され、待ち時間が長くなるとともに操作量が大幅に増加する。よって、本実施形態のように、ユーザが設定の移行を希望するデータのみを選択可能にし、その後一括してデータを転送することは非常に有用である。
【００９２】
次に、新レコーダ２０の設定移行機能に関する処理を説明する。
【００９３】
図４は、新レコーダ２０の設定移行機能の実行手順を示す。
【００９４】
ステップＳ１において、システム制御部３００は、初めて電源が投入されたことを検出し、または、ユーザによる初期設定画面の表示操作に基づいて、処理を初期設定モードに移行する。ステップＳ２において、ＣＰＵ２１１は、グラフィック制御部２０７に図３（ａ）に示す画面を表示させる。
【００９５】
ステップＳ３において、ＣＰＵ２１１は、旧レコーダ３０の内容を引き継ぐよう要求する指示を受け取ったか否かを判定する。この処理は、ユーザが図３（ａ）に示す項目１を選択したか否かを判定することに対応している。ユーザが項目１を選択した場合には処理はステップＳ４に進み、他の項目を選択した場合には他の初期設定処理（たとえば受信チャンネルの設定処理）へ移行する。これにより、図４に示す処理は終了する。
【００９６】
ステップＳ４において、ＣＰＵ２１１は、旧レコーダ３０の内容を引き継ぎ可能か否かを判定する。具体的には、ＣＰＵ２１１は、初期設定モード移行に伴い、ネットワーク制御部２１４およびＬＡＮ１０を介して、旧レコーダ３０に機器情報（たとえば製造者名、商品品番）の送信を要求する。ＣＰＵ２１１は、その要求に応答して旧レコーダ３０から送信された機器情報を取得すると、その機器情報を、たとえばＲＯＭ２１０に予め格納された対応可能機器リストと照合する。
【００９７】
対応可能機器リストに上記機器情報が記述されていれば、ＣＰＵ２１１は、旧レコーダ３０が、その内部に設定されたパラメータに関するデータやコンテンツのデータを引き継ぎ可能であると判定する。そして処理はステップＳ５に進む。
【００９８】
一方、対応可能機器リストに上記機器情報が記述されていない場合や、機器情報の送信要求に対して応答がない場合には、ＣＰＵ２１１は、旧レコーダ３０からのデータの引き継ぎが不可能であると判定する。そして処理は他の初期設定処理へ移行する。
【００９９】
なお、本実施形態の説明の冒頭において、旧レコーダ３０は要求に応じたデータを送信する機能を有しているという前提をおいた。しかしながら、一般にはＬＡＮ１０に接続されるすべての機器がそのような機能を有しているとは限らない。そこでステップＳ４を設け、新レコーダ２０が一般の使用状況に対応できるようにした。
【０１００】
ステップＳ５において、グラフィック制御部２０７は、図３（ｂ）に示す引き継ぎ対象項目２およびチェックボックス３を表示する。ユーザがチェックボックス３のチェックを入れ、または外して処理内容を確定することにより、指示受信部２１５は、確定された引き継ぎ対象項目の指示を受け取る。なお、旧レコーダ３０が引き継ぎできる項目は、上述の対応可能機器リストに記述されていてもよい。
【０１０１】
ステップＳ６において、グラフィック制御部２０７が、図３（ｃ）に示す画面を表示すると、指示受信部２１５は、旧レコーダ３０を初期化するか否かに関する指示をユーザから受け取る。
【０１０２】
ステップＳ７において、ＣＰＵ２１１は、決定された引き継ぎ対象項目に基づいて、旧レコーダ３０の設定および旧レコーダ３０で録画されたコンテンツの少なくとも一方のデータを送信するよう、旧レコーダ３０に要求を送信する。
【０１０３】
その要求に応答して旧レコーダ３０が指定されたデータを送信すると、ステップＳ８において、新レコーダ２０はネットワーク制御部２１４を介してそのデータを受け取る。
【０１０４】
受け取ったデータに動作環境のパラメータに関するデータが含まれていれば、ＣＰＵ２１１は、そのデータをＲＯＭ２１０上のパラメータ２１０ｂとして格納する。新レコーダ２０はパラメータ２１０ｂにしたがってチャンネルや録画レート（録画画質）などを設定して動作するため、受け取ったデータによってパラメータ２１０ｂが規定されることにより、旧レコーダ３０の動作環境と同じ環境で新レコーダ２０を動作させることができる。
【０１０５】
一方、受け取ったデータに録画された番組のデータが含まれている場合には、そのデータをハードディスク２０５ｂに格納する。番組のデータは通常ＲＯＭ２１０やＲＡＭ２１２には格納できないほどデータ量が多いためである。
【０１０６】
本実施形態では、旧レコーダ３０の動作環境を規定するパラメータデータはＲＯＭに格納されており、録画された番組のデータは旧レコーダ３０のハードディスクに格納されているとする。そして、それらのデータが新レコーダ２０に転送されたときには、動作環境を規定するパラメータデータは新レコーダ２０のＲＯＭに格納され、録画された番組のデータは新レコーダ２０のハードディスクに格納される。
【０１０７】
ハードディスク２０５ｂやＲＯＭ２１０は、新レコーダ２０からは着脱不可能な媒体である。新レコーダ２０のハードディスク２０５ｂに代えて、着脱可能な光ディスク２０５ａに番組のデータを格納してもよいが、一般的にはハードディスク２０５ｂの方が大容量であるため、移行時のデータ容量に関する拘束が比較的少ないという利点がある。
【０１０８】
なお、転送時のデータは、所定の単位（たとえば図３（ｂ）に示す項目ごと）にファイル化されるとする。
【０１０９】
ステップＳ９において、ＣＰＵ２１１は、ステップＳ６の指示に基づいて旧レコーダ３０を初期化するか否かを判定する。初期化を行う指示をうけていた場合には処理はステップＳ１０に進み、初期化を行わない指示をうけていた場合には、処理は終了する。
【０１１０】
ステップＳ１０において、ＣＰＵ２１１は、旧レコーダ３０に対して初期化命令、すなわちデータの消去要求を送信する。初期化の対象は、少なくとも旧レコーダ３０から新レコーダ２０に引き継ぎが行われたデータ（すなわち移行された動作環境のパラメータ、および、移行された録画済番組のデータ）である。この結果、旧レコーダ３０において初期化処理が行われ、処理は終了する。
【０１１１】
上述の説明では、録画された番組（録画済コンテンツ）を、旧レコーダ３０から新レコーダ２０に転送する例を説明した。このとき、単なる転送ではなく、コンテンツの符号化方式を変更する処理（いわゆる再エンコード処理）を行ってもよい。旧レコーダ３０に比べて、新レコーダ２０には高効率なエンコード処理が実装されている場合があるため、そのような高効率なエンコード処理を利用することにより、同等の画質であるにもかかわらずデータ量を約半分程度にまで低減し得るためである。
【０１１２】
たとえば旧レコーダ３０から、ＭＰＥＧ２規格のコンテンツのデータを受け取ったとき、そのデータを一旦復号化して、その後ＭＰＥＧ４  ＡＶＣ（Ｈ．２６４）で再度符号化すれば、そのデータ量を大幅に低減させることができる。この処理を行う場合には、新レコーダ２０は、旧レコーダ３０から取得したコンテンツのデータをデコーダ２０６で一度復号化し、その後、エンコーダ２０３で再度符号化すればよい。なお、エンコーダ２０３がデコーダ２０６の機能を備えているときなどは、デコーダ２０６を用いる必要はない。また、一旦復号化することなく、異なる符号化方式に変更してもよい。
【０１１３】
また、新レコーダ２０と旧レコーダ３０との機能の相違により、動作環境に関するパラメータをそのまま適用できない場合が想定される。たとえば録画画質に関して、旧レコーダ３０で設定されていた、低画質の「超ロングプレイモード」が、新レコーダ２０には設けられていない場合がある。そのような場合には、パラメータの受信時にＣＰＵ２１１がパラメータをより近い設定値に変更してもよい。その処理を実現するために、新レコーダ２０は、旧レコーダ３０のパラメータと新レコーダ２０のパラメータとを対応付けたテーブルを保持していてもよい。たとえば上述の例では、旧レコーダ３０の「超ロングプレイモード」と新レコーダ２０の「エコノミーモード」とが対応付けられたテーブルを保持していれば、ＣＰＵ２１１は録画画質のパラメータを「エコノミーモード」に変更してＲＯＭに格納することが可能になる。
【０１１４】
上述の説明では、録画された番組（録画済コンテンツ）を移行の対象としたが、たとえば、ＣＤからリッピングされ、ハードディスク２０５ｂに格納された音楽などのコンテンツもまた、移行の対象となりえる。
【０１１５】
さらに、「コンテンツ」には、再生対象のデータおよびその再生順序のみが指定されたプレイリスト情報や、一覧表示の際などに利用される代表画像の画像データも含まれる。さらに、コンテンツのライブラリ情報を含めてもよい。ライブラリ情報とは、ＤＶＤに録画したコンテンツの管理情報や、番組タイトル、サムネイルなどの情報である。
【０１１６】
さらに、コンテンツとともに、その記録レート、圧縮方式、記録日時、タイトル、チャンネル番号、消去防止用のプロテクトの有無、視聴制限、コンテンツプロテクションシステム（ＣＰＳ）、に関する情報を含めて転送してもよい。記録レートの情報とは、ビットレート値であってもよいし、「高画質」、「標準画質」、「低画質」などの画質に対応する区分であってもよい。
【０１１７】
また、コンテンツには、著作権保護のための複製制御情報が含まれていることがある。そのような複製制御情報のうち、たとえばこれ以上のコピーが許されない“COPY ONCE”の属性が付加されているコンテンツを、旧レコーダ３０から新レコーダ２０に移行したときは、そのコンテンツは旧レコーダ３０上から消去される。すなわち、このコンテンツについては、コンテンツのムーブが行われる。
【０１１８】
上述の設定移行機能は、旧機種の使用環境を新機種に引き継ぐ際の、ユーザにかかる負担を大幅に低減することを目的としている。そのような目的に対して、種々の変形例が考えられる。
【０１１９】
たとえば、図３（ａ）および（ｂ）に示す例では、「旧レコーダの内容を引き継ぐ」という項目１を選択して（図３（ａ））、引き継ぐ内容をユーザが逐一選択する必要があった（図３（ｂ））。機器の操作に馴染みがない初心者にとっては、そのような選択作業は負担となる。
【０１２０】
そこで、引き継ぐ内容をユーザが選択しなくてもよい動作モードを新レコーダ２０に実装してもよい。たとえば図５は、引き継ぐ内容を新レコーダ２０に一任することを可能とする画面４１を示す。画面４１には、引き継ぐ内容を新レコーダ２０に任せるモードを示す項目５１と、引き継ぐ内容をユーザ自らが設定するモードを示す項目５２とが示されている。
【０１２１】
項目５１を選択すると、予め定められたパラメータのデータが旧レコーダ３０から新レコーダ２０へと移行される。「予め定められたパラメータ」は、たとえば全てのパラメータである。当該パラメータのデータとともに、全ての録画済コンテンツを移行してもよい。なお、旧レコーダ３０を初期化するか否かについても予め定めることが可能である。たとえば旧レコーダ３０の初期化は行わなくてもよい。
【０１２２】
なお、図５に示す項目５２を選択すると、図３（ｂ）の画面４１が表示される。
【０１２３】
（実施形態２）
実施形態１では、各パラメータのデータは旧レコーダ３０から新レコーダ２０へと直接移行された。そのような移行を行うためには、旧レコーダ３０および新レコーダ２０のいずれもが、ＬＡＮ１０に同時に接続されている環境が必要となる。これでは、新レコーダ２０が接続される前には、旧レコーダ３０を手放すことができないという制限が生じる。
【０１２４】
そこで本実施形態においては、旧レコーダ３０から他の情報機器、たとえばＰＣに一旦各パラメータのデータを移行させ、新レコーダ２０が接続された後、ＰＣに移行されていた各パラメータのデータを、新レコーダ２０に移行する。
【０１２５】
図６は、ＰＣ６０が接続されているＬＡＮ１０を示す。ＰＣ６０の構成は、たとえば図２に示す新レコーダ２０のハードウェア構成と同等である。ＰＣ６０が録画機能を有しない場合には、図２において、チューナ２０１、ＡＤコンバータ２０２、ＭＰＥＧ−２エンコーダ２０３、ＭＰＥＧ−２デコーダ２０６を省略すればよい。
【０１２６】
以下のＰＣ６０の動作は、実施形態１において新レコーダ２０または旧レコーダ３０の各構成要素がそれぞれ行う動作と置き換えて考えればよい。便宜的にＰＣ６０は図２の構成を有しているとして説明する。
【０１２７】
なお、図６には新レコーダ２０および旧レコーダ３０が記載されているが、これは一例に過ぎない。当初は、新レコーダ２０はＬＡＮ１０に接続されていなくてもよい。
【０１２８】
ＰＣ６０にデータ移行用ソフトウェアがインストールされると、ＰＣ６０は旧レコーダ３０に対して、実施形態１において説明した新レコーダ２０と同じ動作（図４）を行う。
【０１２９】
ユーザは、実施形態１で説明した新レコーダ２０に代えてＰＣ６０を利用して、旧レコーダ３０から引き継ぎたいパラメータやコンテンツを選択する。選択されたデータは、たとえば図３（ｂ）に示す項目ごとにファイル化され、ファイル６１として旧レコーダ３０からＰＣ６０へと送信される。ＰＣ６０は、ネットワーク制御部２１４を介して旧レコーダ３０から受信したファイル６１を受け取って、たとえばハードディスク２０ｂに保存する。なお、旧レコーダ３０を初期化するか否かもユーザは適宜判断でき、ＰＣ６０から旧レコーダ３０に対して指示することができる。
【０１３０】
ファイル６１をＰＣ６０へと送信した後は、新レコーダ２０がＬＡＮ１０に接続される前であっても、ユーザは旧レコーダ３０をＬＡＮ１０から取り外してもよい。たとえば他人に旧レコーダ３０を譲渡してもよいし、廃棄のために業者に引き渡してもよい。
【０１３１】
新レコーダ２０がＬＡＮ１０に接続されると、ＰＣ６０は新レコーダ２０に対し、実施形態１で説明した旧レコーダ３０として機能する。
【０１３２】
ＰＣ６０のシステム制御部２１１は、新レコーダ２０からの要求を受け取り、その要求にしたがって、旧レコーダ３０から受信され、ハードディスク２０５ｂに保存されていたファイル６１を、ネットワーク制御部２１４を介して新レコーダ２０に送信する。新レコーダ２０は当該ファイル６１を受信することにより、当該ファイル６１に基づいて自らの動作環境を設定することができる。
【０１３３】
なお、図３（ｂ）に示す項目ごとにファイルが作成されているときは、ＰＣ６０は全てのファイルを自動的に新レコーダ２０に転送すればよい。ただし、新レコーダ２０への設定時に改めてユーザに選択させ、選択されたファイルのみを新レコーダ２０に転送してもよい。
【０１３４】
なお、本実施形態におけるＰＣ６０は一例である。ＰＣ６０に代えて、新レコーダ２０および旧レコーダ３０とは異なるレコーダを利用してもよい。また、ＰＣ６０は必ずしも新レコーダ２０および旧レコーダ３０が設置された家庭内の機器でなくてもよい。たとえばＰＣ６０は、インターネットを介してＬＡＮ１０に接続された第三者のサーバＰＣであってもよい。
【０１３５】
本実施形態においては、旧レコーダ３０から新レコーダ２０に移行すべきパラメータやコンテンツを、旧レコーダ３０から一旦他の情報機器に移動させる。その後、当該他の情報機器から新レコーダ２０にパラメータ等を移行する。新レコーダ２０と旧レコーダ３０とがＬＡＮ１０上に同時に接続されている必要はなくなるため、旧レコーダ３０の撤去と新レコーダ２０の導入とを独立して行うことが可能になる。よってユーザの利便性が向上する。
【０１３６】
（実施形態３）
実施形態１においては、図１に示すように、ＬＡＮ１０には１台の旧レコーダ３０に対して１台の新レコーダ２０が接続されているとした。
【０１３７】
本実施形態においては、ＬＡＮ１０に接続された既存の旧レコーダが複数台存在するときの、新レコーダ２０へのパラメータの移行処理を説明する。
【０１３８】
図７は、２台の旧レコーダ３０および５０と、新レコーダ２０とが接続されたＬＡＮ１０を示す。
【０１３９】
旧レコーダ３０および旧レコーダ５０は、それぞれ実施形態１において説明したとおり動作する。したがって動作環境を設定するためのパラメータについては、新レコーダ２０は、旧レコーダ３０または旧レコーダ５０から引き継ぐことが可能である。
【０１４０】
多くの場合、旧レコーダ３０および旧レコーダ５０の一方から必要なパラメータを移行すれば十分であると考えられる。しかし、新レコーダ２０が各旧レコーダに固有の機能を有している場合には、当該機能に対するパラメータを各旧レコーダから移行してもよい。
【０１４１】
一方、コンテンツに関しては、通常、旧レコーダ３０および旧レコーダ５０には異なるコンテンツが蓄積されている。それらのうち、どのコンテンツを新レコーダ２０に移行するかは、ユーザが自由に選択できることが好ましい。
【０１４２】
図８（ａ）〜（ｄ）は、複数台の旧レコーダを対象とした、新レコーダ２０の設定移行機能に関連するＴＶ画面４１の表示例を示す。
【０１４３】
図８（ａ）は、新レコーダ２０の初期設定画面を示す。「機種名」および「番号」が表示されるプルダウンメニュー８０により、ＬＡＮ１０に接続された旧レコーダ３０および旧レコーダ５０の機種名および型番が選択的に表示される。当該表示に先立ち、新レコーダ２０はＬＡＮ１０に接続されたレコーダを検索し、レコーダの機種名等を取得する。なお、ＬＡＮ１０上で識別可能な名称、番号、アドレス情報等を表示してもよい。
【０１４４】
ユーザが録画済みコンテンツの詳細ボタン８０を選択すると、新レコーダ２０は、図８（ｂ）の画面４１を表示する。表示される内容は、プルダウンメニュー８０によって選択された旧レコーダに蓄積されているコンテンツ名、録画日時である。ユーザが引き継ぐコンテンツをチェックした後は、図８（ｃ）および（ｄ）の画面に順次切り替わり、移行が完了する。
【０１４５】
図９は、新レコーダ２０の設定移行機能の実行手順を示す。図４に示す手順との相違点は、ステップＳ２およびＳ３の間にステップＳ９１が挿入されたことである。ステップＳ９１では、新レコーダ２０はＬＡＮ１０上に存在する全ての新レコーダを検索する。これにより、図８（ａ）に示すプルダウンメニュー８０を作成可能になる。
【０１４６】
他の処理については、図４に示す手順と同等である。ただし、旧レコーダが複数存在するため、プルダウンメニュー８０によって選択された旧レコーダごとに、ステップＳ５およびＳ６の処理、ステップＳ７〜Ｓ１０の処理が、それぞれ実行される点に留意されたい。
【０１４７】
本実施形態によれば、ユーザの選択により、動作環境のパラメータおよび録画済コンテンツを一括して、または、選択的に、複数の旧レコーダの各々から新レコーダ２０に転送することができる。ユーザは図８（ａ）〜（ｃ）に示す選択操作を一度行うだけで、その後は自動的に必要なデータの転送が行われるため、ユーザの作業量を少なくすることが可能である。
【０１４８】
上述の実施形態においては、情報機器の例としてハードディスクドライブ（ＨＤＤ）内蔵光ディスクレコーダを挙げた。しかしながら、これは例である。他の例として、ケーブルテレビ、衛星放送等を視聴するためのＨＤＤ内蔵セットトップボックスであってもよい。このようなセットトップボックスにも固有の動作環境が設定されており、また、次々と開発されて新機種への買い替えや新機種の買い足しの対象となるためである。セットトップボックスに関する移行可能なパラメータとして、「番組の予約情報」、「画質設定」、「コンテンツ」、「受信チャンネル設定」などが考えられる。
【０１４９】
さらに、本発明はレコーダ以外の情報機器においても適用することが可能である。たとえば再生専用のプレーヤであっても、上述の「チャンネル設定」、「再生設定」、「機器設定」などについては動作環境を移行することが可能である。また上述した記録機能を有しないセットトップボックスにおいて本発明を実施すれば、セットトップボックスの動作環境を移行することが可能である。
【産業上の利用可能性】
【０１５０】
本発明による記録再生機器は、既存の機器の動作環境を規定するために設定されていたパラメータや、既存の機器に保持されているコンテンツの各データを、既存の機器に送信するよう要求する。どのパラメータやコンテンツのデータを送信するかはユーザの選択にしたがって行われるため、ユーザは必要なデータのみを新しい機器に導入することができる。選択操作を一度行うだけでその後は自動的に一括して転送が行われるため、ユーザの作業量を低減できる。そして、これまでと同一の環境で新しい機器を利用できる。
【図面の簡単な説明】
【０１５１】
【図１】本発明の実施形態によるＨＤＤ内蔵光ディスクレコーダ２０（新レコーダ２０）を含む、機器群の接続構成を示す図である。
【図２】本発明の実施形態によるＨＤＤ内蔵光ディスクレコーダ２０のハードウェア構成を示す。
【図３】（ａ）〜（ｄ）は、設定移行機能に関連するＴＶ画面４１の表示例を示す図である。
【図４】本実施形態による新レコーダ２０の設定移行機能の実行手順を示すフローチャートである。
【図５】引き継ぐ内容を新レコーダ２０に一任することを可能とする項目５１が表示された画面４１を示す図である。
【図６】ＰＣ６０が接続されているＬＡＮ１０を示す図である。
【図７】２台の旧レコーダ３０および５０と、新レコーダ２０とが接続されたＬＡＮ１０を示す図である。
【図８】（ａ）〜（ｄ）は、複数台の旧レコーダを対象とした、新レコーダ２０の設定移行機能に関連するＴＶ画面４１の表示例を示す。
【図９】新レコーダ２０の設定移行機能の実行手順を示すフローチャートである。
【符号の説明】
【０１５２】
１０  家庭内ＬＡＮ
２０  ＨＤＤ内蔵光ディスクレコーダ（新レコーダ）
３０  ＨＤＤ内蔵光ディスクレコーダ（旧レコーダ）
４０  ＴＶ
２０５ａ  光ディスク
２０５ｂ  ハードディスク
２０７  グラフィック制御部
２１０  ＲＯＭ
２１０ａ  コンピュータプログラム
２１０ｂ  パラメータ
２１１  ＣＰＵ
２１２  ＲＡＭ
２１４  ネットワーク制御部
２１５  指示受信部
３００  システム制御部
【図１】
2009033734.tif 000003
【図２】
2009033734.tif 000004
【図３】
2009033734.tif 000005
【図４】
2009033734.tif 000006
【図５】
2009033734.tif 000007
【図６】
2009033734.tif 000008
【図７】
2009033734.tif 000009
【図８】
2009033734.tif 000010
【図９】
2009033734.tif 000011